(57)【特許請求の範囲】
【請求項１】
売場に陳列される各商品に、それぞれその商品特有の商品コードなどの商品情報を記憶し無線電磁波による問合わせに応答して前記商品情報を無線電磁波で問合わせ元に送信する機能を有した無線タグを取付けるとともに、客買上商品の代金を精算する会計場に、前記客買上商品に取付けられた無線タグに対して無線電磁波による問合わせを行い当該無線タグから商品情報の応答を受けるとその商品情報に基づいて前記客買上商品の売上データを登録処理する商品登録処理装置を設置してなる無線タグを用いた商品登録処理システムにおいて、
前記商品登録処理装置に、前記無線タグからの商品情報に基づいて客買上商品の売上データを登録処理する毎にその客買上商品に取付けられた無線タグのメモリに記憶された商品情報を該商品情報を含まない情報に書き替える商品情報書替え手段を設けるとともに、
前記売場の出口部に、該出口部を通過する商品に取付けられた無線タグに対して無線電磁波による問合わせを行い当該無線タグから商品情報の応答を受けると警報を発する万引防止装置を設置したことを特徴とする無線タグを用いた商品登録処理システム。
【請求項２】
売場に陳列される各商品に、それぞれその商品特有の商品コードなどの商品情報を記憶し無線電磁波による問合わせに応答して前記商品情報を無線電磁波で問合わせ元に送信する機能を有した無線タグを取付けるとともに、客買上商品の代金を精算する会計場に、前記客買上商品に取付けられた無線タグに対して無線電磁波による問合わせを行い当該無線タグから商品情報の応答を受けるとその商品情報に基づいて前記客買上商品の売上データを登録処理する商品登録処理装置を設置してなる無線タグを用いた商品登録処理システムにおいて、
前記商品登録処理装置に、前記無線タグからの商品情報に基づいて客買上商品の売上データを登録処理する毎にその客買上商品に取付けられた無線タグのメモリに記憶された商品情報をクリアする商品情報クリア手段を設けるとともに、
前記売場の出口部に、該出口部を通過する商品に取付けられた無線タグに対して無線電磁波による問合わせを行い当該無線タグから商品情報の応答を受けると警報を発する万引防止装置を設置したことを特徴とする無線タグを用いた商品登録処理システム。
【請求項３】
前記万引防止装置と前記商品登録処理装置とを通信回線で接続し、
前記万引防止装置に、前記出口部を通過する商品に取付けられた無線タグから商品コードなどの商品情報の応答を受けると警告信号を前記通信回線を介して前記商品登録処理装置に送信する警告信号送信手段を設けるとともに、
前記商品登録処理装置に、前記通信回線を介して前記万引防止装置から警告信号を受信すると万引発生をオペレータに警告喚起する警告喚起制御手段を設けたことを特徴とする請求項１または２に記載の無線タグを用いた商品登録処理システム。
【請求項４】
前記警告信号送信手段は、前記無線タグから応答を受けた商品情報を含む警告信号を通信回線を介して商品登録処理装置に送信する手段であり、前記商品登録処理装置は、前記万引防止装置から受信した警告信号から商品情報を抜粋し記憶する万引商品情報記憶手段を設けたことを特徴とする請求項３に記載の無線タグを用いた商品登録処理システム。
【請求項５】
前記万引防止装置に、前記出口部を通過する商品に取付けられた無線タグから商品情報以外の応答を受けると注意信号を前記通信回線を介して前記商品登録処理装置に送信する注意信号送信手段を設けるとともに、
前記商品登録処理装置に、前記通信回線を介して前記万引防止装置から注意信号を受信するとタグ取り忘れの注意をオペレータに喚起する注意喚起制御手段を設けたことを特徴とする請求項３または４に記載の無線タグを用いた商品登録処理システム。
【発明の詳細な説明】
【０００１】
【発明の属する技術分野】
本発明は、無線タグを用いた商品登録処理システムに関する。
【０００２】
【従来の技術】
一般に、無線タグは、同調回路と送信回路を内蔵し、外部からの電波に同調して固定のパルス信号等を送信する簡易型のタグと、ＣＰＵ，メモリ，同調回路，送信回路，受信回路等を内蔵し、外部からの電波に同調してメモリ内のデータを無線送信したり、無線通信により受信したデータをメモリに書込めるようにしたインテリジェント型のタグとがある。そこで近年、小売業界においては、前者の簡易型無線タグを万引防止システムに利用し、後者のインテリジェント型無線タグを商品登録処理システムに利用することが考えられている。
【０００３】
すなわち万引防止システムは、売場に陳列されている未会計の各商品にそれぞれ簡易型無線タグを特殊な治具でしか取り外しができないように取付けるとともに、売場の出口部近傍に万引防止装置のアンテナを備え付ける。そして万引防止装置を、上記簡易型無線タグが同調する電波を上記アンテナから発信する発信回路と、上記電波に同調して簡易型無線タグから送信される信号を上記アンテナを介して受信する受信回路と、この受信回路で上記信号を受信したことに応じて警報を発する警報装置とで構成する。また、客買上商品の代金を精算する会計場に、前記簡易型無線タグを商品から取り外すための治具を備え付ける。そして会計係の店員は、会計が済んだ商品から簡易型無線タグを取り外すようにする。
こうすることにより、未会計の商品を不正に売場の外へ持ち出そうとして出口部に近付くと、その商品に取付けられた簡易型無線タグが万引防止装置からの電波に同調して信号を発信し、この信号を受信した万引防止装置の警報装置が作動する。その結果、万引が防止されることになる。
【０００４】
一方、商品登録処理システムは、売場に陳列されている未会計の各商品にその商品特有の商品コードなどの商品情報をメモリに記憶したインテリジェント型無線タグをそれぞれ付着するとともに、会計場に設置されたＰＯＳ（Point Of Sales；販売時点情報管理）ターミナルなどの商品登録処理装置本体に無線タグリーダを接続する。そして無線タグリーダを、上記インテリジェント型無線タグが同調する電波をアンテナから発信する発信回路と、上記電波に同調してインテリジェント型無線タグから送信されるデータ信号を上記アンテナを介して受信する受信回路と、この受信回路で受信したデータ信号を商品登録処理装置本体に送信するインタフェース回路とで構成する。また商品登録処理装置本体を、無線タグリーダを介して商品コードなどの商品情報を入力すると、商品のバーコードを読取った場合と同様にして当該商品の売上データを登録処理するように構成する。
こうすることにより、客買上商品が会計場に持ち込まれると、その商品に取付けられたインテリジェント型無線タグが無線タグリーダからの電波に同調してメモリ内の商品情報を無線送信し、この商品情報が無線タグリーダを介して商品登録処理装置に転送されて、上記客買上商品の売上データが登録処理されることになる。
【０００５】
【発明が解決しようとする課題】
しかしながら、前記商品登録処理システムと万引防止システムとは無線タグを利用する点で共通するものの、使用する無線タグのタイプが異なるため、従来は個々に独立したシステムとなっていた。このため、１店舗で両方のシステムを導入しようとすると、１つの商品に、商品登録処理システムで使用するインテリジェント型無線タグと万引防止システムで使用する簡易型無線タグの２つを取付けなければならない煩雑さがあった。
【０００６】
このような問題は、万引防止システムで使用する簡易型の無線タグでは商品登録処理ができないため、商品登録処理システムで使用するインテリジェント型の無線タグを用いて万引防止システムをも構築することで解決できる。
そこで本発明は、各商品に取付けた無線タグを用いて商品登録処理を行えるとともにその無線タグを用いて万引防止をも図ることができる無線タグを用いた商品登録処理システムを提供しようとするものである。
【０００７】
【課題を解決するための手段】
本発明は、売場に陳列される各商品に、それぞれその商品特有の商品コードなどの商品情報を記憶し無線電磁波による問合わせに応答して商品情報を無線電磁波で問合わせ元に送信する機能を有した無線タグを取付けるとともに、客買上商品の代金を精算する会計場に、客買上商品に取付けられた無線タグに対して無線電磁波による問合わせを行い当該無線タグから商品情報の応答を受けるとその商品情報に基づいて客買上商品の売上データを登録処理する商品登録処理装置を設置してなる無線タグを用いた商品登録処理システムにおいて、商品登録処理装置に、無線タグからの商品情報に基づいて客買上商品の売上データを登録処理する毎にその客買上商品に取付けられた無線タグのメモリに記憶された商品情報を該商品情報を含まない情報に書き替える商品情報書替え手段を設けるとともに、売場の出口部に、該出口部を通過する商品に取付けられた無線タグに対して無線電磁波による問合わせを行い当該無線タグから商品情報の応答を受けると警報を発する万引防止装置を設置したようにしたものである。
【０００８】
【発明の実施の形態】
以下、本発明の一実施の形態を図面を用いて説明する。
図１は本実施の形態における商品登録処理システムの全体構成を示しており、この商品登録処理システムは、店の会計場に設置される商品登録処理装置１と、店の出入口等に設置される万引防止装置２と、店の管理事務所等に設置されるモニタなどの監視装置３とを、ＬＡＮ（Local Area Network）回線４で通信自在に接続するとともに、売場に陳列される各商品に、それぞれその商品特有の商品コードなどの商品情報をメモリに記憶し電波による問合わせに応答して前記メモリに記憶した商品情報を電波で問合わせ相手に送信する機能を有したインテリジェント型の無線タグ５を、特殊な治具でしか取り外しができない構造で取付けることによって構成したものである。
【０００９】
ここで、無線タグ５は、図２に示すように、例えばカード型のタグ本体にアンテナ６と、回路パターン７と、電池８を内蔵したもので、上記回路パターン７は、アンテナ６で受信した電波を解析する受信回路７ａと、送信情報を電波に変換してアンテナ６より発信させる送信回路７ｂと、所定周波数の受信電波に同調する同調回路７ｃと、各無線タグ５をそれぞれ識別するためのタグＩＤコードと商品コードなどの商品情報とを記憶するメモリ７ｄと、上記受信回路７ａ，送信回路７ｂ，同調回路７ｃ及びメモリ７ｄをシステムバスで接続して制御するＣＰＵ（Central Processing Unit ）７ｅとを備えたものである。そしてＣＰＵ７ｅは、同調回路７ｃが所定周波数の電波に同調すると、メモリ７ｄの情報（タグＩＤコード，商品情報）を送信情報とし、この送信情報を送信回路７ｂを介して電波として発信するものとなっている。
【００１０】
商品登録処理装置１は、各商品の売上データを登録処理する商品登録処理装置本体としてのＰＯＳターミナル９に、前記無線タグ５のリーダライタ１０を接続して構成したもので、図３に上記ＰＯＳターミナル９と無線タグリーダライタ１０の要部構成を示す。
すなわちＰＯＳターミナル９は、制御部本体を構成するＣＰＵ１１、プログラム等を記憶するＲＯＭ（Read Only Memory）１２、各種データを記憶するＲＡＭ（Random Access Memory）１３の他、現日付及び時刻を計時する時計部１４、前記ＬＡＮ回線４を通じて各部との間で行うデータ伝送を制御するＬＡＮコントローラ１５、１取引の登録終了を宣言する締めキーやメッセージの確認を宣言する確認キーなどの各種キーを配設したキーボード１６、このキーボード１６を制御し入力キーのキー信号を取込むキーボードコントローラ１７、客買上商品の商品名，単価，合計金額等を表示するディスプレイ１８、このディスプレイ１８を制御して表示データに対応する画面を表示させるディスプレイコントローラ１９、レシート印字及びジャーナル印字を行うプリンタ２０、このプリンタ２０の印字動作を制御するプリンタコントローラ２１及びＲＳ２３２Ｃなどの通信インタフェース２２等を備え、前記ＣＰＵ１１と、ＲＯＭ１２，ＲＡＭ１３，時計部１４，ＬＡＮコントローラ１５，キーボードコントローラ１７，ディスプレイコントローラ１９，プリンタコントローラ２１及び通信インタフェース２２とを、アドレスバス，データバスなどのバスライン２３で接続して構成したものである。
【００１１】
そしてＲＡＭ１３には、特に図４に示すように、各商品特有の商品コードに対応して商品名及び単価を予め記憶するとともに商品別の売上点数及び売上金額を累計するエリアを有した商品ファイル４１と、年月日，時刻，商品名及び単価の各項目データを蓄積記憶するデータ蓄積ファイル４２とを形成している。
【００１２】
一方、無線タグリーダライタ１０は、ＣＰＵ２４、ＲＯＭ２５及びＲＡＭ２６の他、無線タグ５のデータ読取り音を発するブザー２７、このブザー２７に駆動信号を出力するＩ／Ｏポート２８、前記ＰＯＳターミナル９の通信インタフェース２２と同等の通信インタフェース２９、アンテナ３０、送信情報を電波に変換してアンテナ３０より発信させる送信回路３１、前記無線タグ５の同調回路７ｃが同調する所定周波数の電波（被同調電波）をアンテナ３０より発信させる発信回路３２及びアンテナ３０で受信した電波を解析する受信回路３３等を備え、前記ＣＰＵ２４と、ＲＯＭ２５，ＲＡＭ２６，Ｉ／Ｏポート２８，通信インタフェース２９，送信回路３１，発信回路３２及び受信回路３３とを、アドレスバス，データバスなどのバスライン３４で接続して構成したものである。
そして、この無線カードリーダライタ１０の通信インタフェース２９と前記ＰＯＳターミナル９の通信インタフェース２２とを、インタフェース用ケーブル３５で接続することによって、商品登録処理装置１を構成している。
【００１３】
万引防止装置２は、図５に示すように、ＣＰＵ５１、ＲＯＭ５２及びＲＡＭ５３の他、前記ＬＡＮ回線４を通じて各部との間で行うデータ伝送を制御するＬＡＮコントローラ５４、万引警告音を発するブザー５５、このブザー５５に駆動信号を出力するＩ／Ｏポート５６、アンテナ５７、前記無線タグリーダライタ１０と同様の被同調電波をアンテナ５７より発信させる発信回路５８及びアンテナ５７で受信した電波を解析する受信回路５９等を備え、前記ＣＰＵ５１と、ＲＯＭ５２，ＲＡＭ５３，ＬＡＮコントローラ５４、Ｉ／Ｏポート５６，発信回路５８及び受信回路５９とを、アドレスバス，データバスなどのバスライン６０で接続して構成したものである。
【００１４】
さて、かかる構成の商品登録処理システムにおいて、前記無線タグリーダライタ１０は、ＣＰＵ２４が図６の流れ図に示す処理を実行するようにプログラムを構成している。
すなわち、ＳＴ（ステップ）１として発信回路３２を動作させて被同期電波をアンテナ３０から発信させることにより、無線タグ５に対して電波による問合わせを行い、無線タグ５からの応答を待機する。ここで、無線タグ５から発信される電波をアンテナ３０を介して受信回路３３で受信したならば（ＳＴ２のＹＥＳ）、ＳＴ３としてその受信電波を解析してタグＩＤコードとともに商品コードを含む商品情報を取得できたか否かを判断する。そして商品情報を取得できた場合には、ＳＴ４として発信回路３２による被同期電波の発信を一時的に停止させる。また、ＳＴ５としてその取得した商品情報を通信インタフェース２９を介してＰＯＳターミナル９に送信する。
【００１５】
その後、ＳＴ６としてＰＯＳターミナル９からのコマンドを待機する。そして、商品情報をＰＯＳターミナル９に送信してから一定時間内に通信インタフェース２９を介してクリア指示コマンドを受信したならば（ＳＴ６のＹＥＳ）、ＳＴ７としてブザー２７に第１の駆動信号を送出して予め設定した商品登録終了音を発生させる。また、ＳＴ８として先に商品情報とともに取得したタグＩＤコードを記憶する無線タグ５に対しての商品情報クリアコマンドを作成し、送信回路３１により電波としてアンテナ３０から発信したならば［商品情報書替え手段］、ＳＴ１に戻って発信回路３２を再度動作させる。
【００１６】
なお、無線タグ５からの電波を受信したが商品情報を取得できなかった場合（ＳＴ３のＮＯ）、及びＰＯＳターミナル９に商品情報を送信したが一定時間内にクリア指示コマンドを受信できなかった場合には（ＳＴ６のＮＯ，ＳＴ９のＹＥＳ）、ＳＴ１０としてブザー２７に第２の駆動信号を送出して予め設定された商品登録エラー音を発生させたならば、ＳＴ１に戻って発信回路３２を再度動作させる。
因みに、前記商品情報クリアコマンドを受信した無線タグ５のＣＰＵ７ｅは、メモリ７ｄに記憶した商品情報をクリアするものとなっている。
【００１７】
また、前記万引防止装置２は、ＣＰＵ５１が図７の流れ図に示す処理を実行するようにプログラムを構成している。
すなわち、ＳＴ１として発信回路５８を動作させて被同期電波をアンテナ５７から発信させることにより、無線タグ５に対して電波による問合わせを行い、無線タグ５からの応答を待機する。ここで、無線タグ５から発信される電波をアンテナ５７を介して受信回路５９で受信したならば（ＳＴ２のＹＥＳ）、ＳＴ３としてその受信電波を解析してタグＩＤコードとともに商品コードを含む商品情報を取得できたか否かを判断する。そして商品情報を取得できた場合には、メモリ７ｄに商品情報を記憶した無線タグ５からの応答を受信したと判断し、ＳＴ４としてブザー５５に駆動信号を送出して予め設定した万引警告音を発生させる。また、ＳＴ５として無線タグ５から受信した商品情報を含む万引警告コマンドを作成し、このコマンドをＬＡＮコントローラ５４を介して商品登録処理装置１のＰＯＳターミナル９と監視装置３とに送信する。［警告信号送信手段］
その後、ＳＴ２に戻って、次の無線タグ５からの電波受信を待機する。
【００１８】
一方、ＳＴ３にて受信電波を解析した結果タグＩＤコードしか取得できず商品情報を取得できなかった場合には、メモリ７ｄに商品情報を記憶していない無線タグ５からの応答を受信したと判断し、ＳＴ６としてタグ取忘れ警告コマンドを作成する。そして、このコマンドをＬＡＮコントローラ５４を介して商品登録処理装置１のＰＯＳターミナル９と監視装置３とに送信する。［注意信号送信手段］
その後、ＳＴ２に戻って、次の無線タグ５からの電波受信を待機する。
【００１９】
前記ＰＯＳターミナル９のＣＰＵ１１は、通信インタフェース２２を介して接続された無線タグリーダライタ１０からの情報を受信するか、ＬＡＮコントローラ１５を介して接続された万引防止装置２からの情報（コマンド）を受信すると、図８の流れ図に示す処理を実行するものとなっている。
先ず、ＳＴ１として無線タグリーダライタ１０からの情報を受信した場合には、ＳＴ２としてその受信情報が商品コードなどの商品情報か否かを判断する。そして商品情報の場合には（ＳＴ２のＹＥＳ）、ＳＴ３として商品売上登録処理を実行する。すなわち、商品情報中の商品コードで商品ファイル４１を検索して対応する商品名，単価を読出し、売上点数を１とし、売上金額を単価とする。そして商品名，単価，売上点数及び売上金額を客買上商品の登録明細データとしてディスプレイ１８に表示させる（図９の（ａ）を参照）。また、商品ファイル４１の該当商品コードに対応する売上点数累計エリア及び売上金額累計エリアにそれぞれ売上点数＝１，売上金額＝単価を加算処理する。その後、ＳＴ４として通信インタフェース２２を介して無線タグリーダライタ１０にクリア指示コマンドを送信したならば、今回の受信処理を終了する。
【００２０】
一方、ＳＴ１にて万引防止装置２からの情報（コマンド）を受信した場合には、ＳＴ６としてそのコマンドの種類を判別する。ここで、万引警告コマンドの場合には（ＳＴ６−１のＹＥＳ）、ＳＴ７として前記ディスプレイ１８に所定の万引警告メッセージ（例えば「警告！未会計商品が出口に有り」）を表示させる（図９の（ｂ）を参照）。［警告喚起制御手段］
また、ＳＴ８として受信した万引警告コマンドに含まれる商品情報中の商品コードで商品ファイル４１を検索して対応する商品名，単価を読出すとともに、時計部１４により計時されている現在の日付及び時刻を読出し、この日付，時刻，商品名及び単価の各項目データをデータ蓄積ファイル４２に追加格納する。［万引商品情報記憶手段］
その後、ＳＴ９としてキーボード１６のメッセージ確認キーが押下されたならば、ＳＴ１０として上記万引警告メッセージを消去して、今回の受信処理を終了する。
【００２１】
また、万引防止装置２からの受信情報がタグ取忘れ警告コマンドであった場合には（ＳＴ６−２のＹＥＳ）、ＳＴ１２として前記ディスプレイ１８に所定のタグ取忘れ警告メッセージ（例えば「注意！タグの取忘れが発生しました」）を表示させる（図９の（ｃ）を参照）。［注意喚起制御手段］
その後、ＳＴ１２としてキーボード１６のメッセージ確認キーが押下されたならば、ＳＴ１３として上記タグ取忘れ警告メッセージを消去して、今回の受信処理を終了する。
【００２２】
なお、監視装置３は、ＰＯＳターミナル９と同様に、万引防止装置２から万引警告コマンドを受信した場合には万引警告メッセージを、タグ取忘れ警告コマンドを受信した場合にはタグ取忘れ警告メッセージをそれぞれモニタ画面に表示するものとなっている。
【００２３】
このように構成された本実施の形態の商品登録処理システムを使用する販売店では、予め売場に陳列した各商品に無線タグ５を特殊な治具でしか取り外しができないように取付けておくとともに、その治具を客買上商品の代金を精算する会計場に備え付けておく。また、各商品に取付けられた無線タグ５のメモリ７ｄには、それぞれ固有のタグＩＤコードとともに対応する商品の商品コードなどの商品情報を予め記憶させておく。
【００２４】
このような状態で、通常、買物客は購入する商品を売場で求めた後、会計場まで持って行き、代金の精算を行う。このとき、会計係の店員は、客買上商品を無線タグリーダライタ１０のアンテナ３０に近付ける。アンテナ３０からは被同調電波が発信されており、客買上商品に取付けられた無線タグ５が上記被同調電波に同調すると、無線タグ５からメモリ７ｄに記憶されたタグＩＤコードと商品情報とが電波で無線タグリーダライタ１０に応答送信される。これにより、無線タグリーダライタ１０からＰＯＳターミナル９に上記商品情報が転送され、ＰＯＳターミナル９において客買上商品の売上データが登録処理される。さらに，ＰＯＳターミナル９から無線タグリーダライタ１０にクリア指示コマンドが送信され、無線タグリーダライタ１０から無線タグ５に商品情報クリアコマンドが電波で発信されて、無線タグ５のメモリ７ｄから商品情報がクリアされる。このとき、無線タグリーダライタ１０から商品登録終了音が発せられるので、会計係の店員は客買上商品の売上データが登録処理されたことを確認し、その客買上商品に取付けられた無線タグ５を治具を用いて取り外す。
その後、買物客は購入した商品を持って売場出口から店外に出る。売場出口には万引防止装置２のアンテナ５７から被同期電波が発信されているが、買物客が購入した商品にはすでに無線タグ５が取付けられていないので、万引防止装置２は作動しない。
【００２５】
その一方で、客が売場から未会計の商品を持って会計場を通らずに売場出口を通過しようとした場合には、その未会計商品に取付けられた無線タグ５が万引防止装置２のアンテナ５７から発信されている被同調電波に同調し、無線タグ５からタグＩＤコードと商品情報とが電波で万引防止装置２に送信される。これにより、万引防止装置２から万引警告音が発せられるとともに、ＰＯＳターミナル９及び監視装置３にＬＡＮ４を介して万引警告コマンドが送信される。そして、ＰＯＳターミナル９のディスプレイ１８及び監視装置３のモニタ画面に万引警告メッセージが表示される。
【００２６】
また、上記万引警告コマンドには無線タグ５から受信した商品情報が含まれており、当該コマンドを受信したＰＯＳターミナル９においては、その商品情報中の商品コードに対応した商品名及び単価と現日付及び時刻とがデータ蓄積ファイル４２に追加格納される。
【００２７】
このように本実施の形態によれば、各商品に取付けたインテリジェント型の無線タグ５を用いて商品登録処理を行えるのは勿論のこと、この無線タグ５が取付けられた商品を持ってそのまま売場出口から出ようとすると万引防止装置２から万引警告音が発せられるので、万引防止を図ることができる。
また、万引が発生した場合には、万引防止装置２から監視装置３のみならずＰＯＳターミナル９にも万引警告コマンドが送信されて、ＰＯＳターミナル９のディスプレイ１８に、図９（ｂ）に示すように万引警告メッセージが表示されるので、会計係の店員にも万引が発生したことを会計待ちの客に悟られることなく伝達できる。
【００２８】
しかも、ＰＯＳターミナル９のデータ蓄積ファイル４２には、万引が発生した日時とともに万引された商品の商品名と単価とが蓄積記憶されるので、このデータ蓄積ファイル４２の内容を解析することで、万引の被害に遭った商品の履歴や被害額などを即座に知ることができる。
【００２９】
ところで、本実施の形態において、会計係の店員が精算を終えた商品から商品タグ５を取り外すのを忘れた場合にも、買物客は無線タグ５が付いたままの商品を持って売場出口を通過することになる。このときも、無線タグ５は万引防止装置２のアンテナ５７から発信されている被同調電波に同調し、メモリ７ｄの情報を万引防止装置２に電波で応答送信する。しかしこの場合においては、メモリ７ｄの商品情報はクリアされているので、万引防止装置２から万引警告音が発せられることはなく、買物客に不快な思いをさせることはない。
【００３０】
その一方で、商品情報がクリアされた無線タグ５が取付けられたままの商品が売場出口を通過した場合には、万引防止装置２からＰＯＳターミナル９にタグ取忘れ警告コマンドが送信されて、ＰＯＳターミナル９のディスプレイ１８に、図９（ｃ）に示すようにタグ取忘れ警告メッセージが表示されるので、会計係の店員に対し、無線タグ５の取忘れが発生したことを注意できる。無線タグ５は高価なものである上、再利用が可能であるので、取り忘れをできるだけ無くすことが要求されており、タグ取忘れ警告メッセージを表示して会計係の店員に注意を喚起することは非常に好ましいことである。
【００３１】
なお、前記一実施の形態では、商品登録処理装置１を１台として説明したが、ＬＡＮ４に複数台の商品登録処理装置１を接続してなる商品登録処理システムにも本発明を同様に適用できるものである。この場合において、万引防止装置２が万引警告コマンド及びタグ取忘れ警告コマンドを各商品登録処理装置１のＰＯＳターミナル９に並列的に送信するように構成してもよいし、特定の商品登録処理装置１のＰＯＳターミナル９のみに限定的に送信するように構成することも可能である。また、データ蓄積ファイル４２は各ＰＯＳターミナルが所有する必要はなく、特定のＰＯＳターミナル９が所有すればよい。また、万引防止装置１も１台に限定されるものではなく、出入り口が複数ヵ所に点在する店では各出入り口に万引防止装置１を設置すればよい。
【００３２】
また、前記一実施の形態では、無線タグ５からの商品情報に基づいて客買上商品の売上データを登録処理する毎にその客買上商品に取付けられた無線タグ５のメモリ７ｄに記憶された商品情報をクリアしたが、商品情報以外の情報に書き替えるようにし、前記万引防止装置２が無線タグ５からその商品情報以外の情報の応答を受けると注意信号を商品登録処理装置１に送信するようにしてもよい。
【００３３】
また本発明における無線タグ５は、前記一実施の形態のように電波を用いるものに限定されるものではなく、光などの他の無線電磁波を用いて無線タグリーダライタ１０や万引防止装置２と交信するものを採用してもよいものである。
この他、警告及び注意を喚起する手段として表示以外の喚起手段を用いるなど、本発明の要旨を逸脱しない範囲で種々変形実施可能であるのは勿論である。
【００３４】
【発明の効果】
以上詳述したように本願請求項１または２記載の発明によれば、各商品に取付けた無線タグを用いて商品登録処理を行えるとともにその無線タグを用いて万引防止をも図ることができる無線タグを用いた商品登録処理システムを提供できる。
また、本願請求項３記載の発明によれば、本願請求項１または２記載の発明と同等の効果を奏することはもとより、商品登録処理装置を操作するオペレータにも万引の発生をリアルタイムで伝達できる効果を奏する。
また、本願請求項４記載の発明によれば、本願請求項３記載の発明と同等の効果を奏することはもとより、万引による被害の詳細な内容も正確かつ迅速に把握できるようになる。
また、本願請求項５記載の発明によれば、本願請求項３または４記載の発明と同等の効果を奏することはもとより、商品登録処理装置を操作するオペレータに無線タグの取忘れを注意することができる利点がある。
【図面の簡単な説明】
【図１】  本発明の一実施の形態である商品登録処理システムの全体構成図。
【図２】  同実施の形態の商品登録処理システムで用いる無線タグの要部構成を示すブロック図。
【図３】  同実施の形態の商品登録処理システムで用いる商品登録処理装置の要部構成を示すブロック図。
【図４】  商品登録処理装置を構成するＰＯＳターミナルのＲＡＭに形成する主要なメモリエリアを示す図。
【図５】  同実施の形態の商品登録処理システムで用いる万引防止装置の要部構成を示すブロック図。
【図６】  商品登録処理装置を構成する無線タグリーダライタのＣＰＵが実行する処理の主要部を示す流れ図。
【図７】  万引防止装置のＣＰＵが実行する処理の主要部を示す流れ図。
【図８】  商品登録処理装置を構成するＰＯＳターミナルのＣＰＵが実行する受信処理の主要部を示す流れ図。
【図９】  商品登録処理装置を構成するＰＯＳターミナルのディスプレイに表示される画面例を示す図。
【符号の説明】
１…商品登録処理装置
２…万引防止装置
３…監視装置
４…ＬＡＮ
５…無線タグ
９…ＰＯＳターミナル
１０…無線タグリーダライタ
【図１】
0003762107.tif 000002
【図２】
0003762107.tif 000003
【図３】
0003762107.tif 000004
【図４】
0003762107.tif 000005
【図５】
0003762107.tif 000006
【図６】
0003762107.tif 000007
【図７】
0003762107.tif 000008
【図８】
0003762107.tif 000009
【図９】
0003762107.tif 000010